(57)【要約】【課題】  物品輸送保管装置を積み重ねても上段の物品輸送保管装置の揺れを防止し、かつ、積載フレーム間の側面を保護する。【解決手段】  物品２が載置される物品載置台３上の物品載置領域７を介して一対の積載フレーム４を備える。この積載フレーム４は、複数の支柱１１とこれらの支柱１１に掛け渡されて設けられた背板１２とで構成する。物品載置台３上の物品載置領域７を囲む位置で一対の積載フレーム４の両端部間に一対の側板５を掛け渡して連結させる。変位阻止手段により、側板５の積載フレーム４への連結状態において、積載フレーム４の変位を阻止する。【選択図】    図１
2005187035.tif 000002
【特許請求の範囲】
【請求項１】
物品が載置される物品載置台と、
この物品載置台に立設される複数の支柱とこれらの支柱に掛け渡されて設けられた背板とを有し前記物品載置台上の物品載置領域を介して互いに間隔を開けて配置された一対の積載フレームと、
前記物品載置領域を囲む位置で一対の前記積載フレームに掛け渡されてこれらの積載フレームに連結される一対の側板と、
前記側板の前記積載フレームへの連結状態によって、前記積載フレームの変位を阻止する変位阻止手段と、
を備える物品輸送保管装置。
【請求項２】
前記積載フレームは、前記物品載置台に対して起立したときの前記物品載置領域外の位置と、前記物品載置台上面に沿う位置との間で前記物品載置台に対して回動自在に設けられており、
前記側板は、前記積載フレームに着脱自在に設けられている、請求項１記載の物品輸送保管装置。
【請求項３】
前記支柱は伸縮自在に設けられ、
前記支柱の高さの固定と前記側板の前記積載フレームへの連結とを行うピンを備える請求項２記載の物品輸送保管装置。
【請求項４】
前記ピンは、前記側板において前記積載フレーム毎に対応して設けられ、
一方の前記積載フレームに対応した前記ピンは、前記側板に対する固定位置を選択可能に設けられている、請求項３記載の物品輸送保管装置。
【発明の詳細な説明】
【技術分野】
【０００１】
本発明は、物品を輸送あるいは保管するために用いられる物品輸送保管装置に関する。
【背景技術】
【０００２】
従来、例えば工業製品などの各種物品を輸送あるいは保管するために物品載置上に物品を載置する物品輸送保管装置がある（例えば特許文献１〜６）。物品輸送保管装置は、物品載置上に物品を載置した状態で、トラックや航空機や船舶などの輸送手段により輸送されたり、倉庫などに保管されたりする。このような従来の物品輸送保管装置の一例を図５ないし図７に基づいて説明する。
【０００３】
図５に示すように、従来の物品輸送保管装置１０１は、物品が載置される上方からみて略矩形状の物品載置台１０２、この物品載置台１０２上の縁に設けられた一対の積載フレーム１０３などから構成されている。物品載置台１０２の上方は物品載置領域とされている。
【０００４】
積載フレーム１０３は、物品載置台１０２の隅に立設された２本の支柱１０４、この２本の支柱１０４に掛け渡された背板１０５などから構成されている。２本の支柱１０４の上端は結合されている。これらの積載フレーム１０３は、物品載置台１０２に対して起立した位置と物品載置台１０２の上面に沿う位置との間で回動自在に設けられている。具体的には、支柱１０４の下端側は、積載フレーム１０３の先端側が物品載置台１０２に接離する方向に支軸１０６により回動自在に支持されている。支柱１０４はピン１０７により外側への倒れを規制され、バー１０８により内側（物品載置台１０２に向かう方向）への倒れを規制されている。このバー１０８は支柱１０４の移動を規制する位置と規制を解除する位置との間でガイド溝１０９によって移動自在に保持されており、図示しないバネにより支柱１０４の移動を規制する位置に位置付けられている。
【０００５】
この構造では、積載フレーム１０３を起立させることにより、物品載置台１０２上に物品を載置することが可能であり、バネの付勢力に抗してバー１０８を踏み押して支柱１０４に対する回動規制を解除させて、積載フレーム１０３を物品載置台１０２上に沿わせることで、物品輸送保管装置１０１が畳まれ、図６に示すように、物品輸送保管装置１０１同士を積み重ねて保管することができる。
【０００６】
【特許文献１】特開２０００−２８１０６３公報
【特許文献２】特開２００１−１７１６６６公報
【特許文献３】特開２００１−３１５７７７公報
【特許文献４】特開２００３−１８２７３７公報
【特許文献５】特開２００３−１９１９０９公報
【特許文献６】特開平５−８５５４７号公報
【発明の開示】
【発明が解決しようとする課題】
【０００７】
しかしながら、この物品輸送保管装置１０１では、物品を載置した状態で図７に示すように天板１１０を介して物品輸送保管装置１０１を数段積み重ねた場合、バー１０８とガイド溝１０９との間のガタのために積載フレーム１０３が揺れ、これにより、上段の物品輸送保管装置１０１が揺れてしまい、安定した物品の保管や運搬ができないという問題がある。なお、図７では物品は省略している。
【０００８】
また、従来の物品輸送保管装置１０１では、積載フレーム１０３間の側面が全面開放されているので、その部分での物品に対する保護が不十分であるという問題がある。
【０００９】
本発明の目的は、積み重ねても上段の物品輸送保管装置の揺れを防止でき、かつ、積載フレーム間の側面を保護できる物品輸送保管装置を提供することである。
【課題を解決するための手段】
【００１０】
請求項１記載の発明の物品輸送保管装置は、物品が載置される物品載置台と、この物品載置台に立設される複数の支柱とこれらの支柱に掛け渡されて設けられた背板とを有し前記物品載置台上の物品載置領域を介して互いに間隔を開けて配置された一対の積載フレームと、前記物品載置領域を囲む位置で一対の前記積載フレームに掛け渡されてこれらの積載フレームに連結される一対の側板と、前記側板の前記積載フレームへの連結状態によって、前記積載フレームの変位を阻止する変位阻止手段と、を備える。
【００１１】
請求項２記載の発明は、請求項１記載の物品輸送保管装置において、前記積載フレームは、前記物品載置台に対して起立したときの前記物品載置領域外の位置と、前記物品載置台上面に沿う位置との間で前記物品載置台に対して回動自在に設けられており、前記側板は、前記積載フレームに着脱自在に設けられている。
【００１２】
請求項３記載の発明は、請求項２記載の物品輸送保管装置において、前記支柱は伸縮自在に設けられ、前記支柱の高さの固定と前記側板の前記積載フレームへの連結とを行うピンを備える。
【００１３】
請求項４記載の発明は、請求項３記載の物品輸送保管装置において、前記ピンは、前記側板において前記積載フレーム毎に対応して設けられ、一方の前記積載フレームに対応した前記ピンは、前記側板に対する固定位置を選択可能に設けられている。
【発明の効果】
【００１４】
本発明によれば、積み重ねても上段の物品輸送保管装置の揺れを防止することができ、かつ、積載フレーム間の側面を保護することができる。
【発明を実施するための最良の形態】
【００１５】
本発明の一実施の形態を図１ないし図４に基づいて説明する。図１は本実施の形態の物品輸送保管装置である汎用循環型ラック１を示す斜視図、図２はその分解斜視図、図４は展開させた汎用循環型ラック１を積み重ねた状態を示す縦断側面図、図３は折り畳んだ汎用循環型ラック１を積み重ねた状態を示す側面図である。
【００１６】
図１及び図２に示すように、汎用循環型ラック１は、例えば工業製品などの物品２が載置される物品載置台３、この物品載置台３上の縁に設けられた一対の積載フレーム４、これらの一対の積載フレーム４間に掛け渡された一対の側板５などから構成されている。
【００１７】
物品載置台３は、上方から見て略矩形状に形成され上面に物品２が載置される。物品載置台３の下部には、複数の脚６が設けられている。この物品載置台３の上方が物品載置領域７とされている。
【００１８】
積載フレーム４は、物品載置台３の隅に立設されたパイプ形状の２本の支柱１１、この２本の支柱１１に掛け渡された背板１２などから構成されている。支柱１１は、物品載置台３の隅に立設された第１パイプ１３の上部に第２パイプ１４がスライド自在に嵌合して構成されている。２本の第２パイプ１４の上部は横パイプ１５により結合されており、これら２本の第２パイプ１４と横パイプ１５とは一体に形成されている。第１パイプ１３の側部には、対向する側部を貫通する貫通穴部１６（図２参照）が形成されている。一方、第２パイプ１４の側部には、対向する側部を貫通する貫通穴部１７（図２参照）が第２パイプ１４の長手方向に複数形成されている。この構造では、第２パイプ１４を所望の量だけ第１パイプ１３から引き出して、貫通穴部１７を貫通穴部１６に合わせて、それらの貫通穴部１６，１７に後述するピン３１を差し込むことにより積載フレーム４の高さを調整することができる。
【００１９】
背板１２は、第１パイプ１３間に掛け渡されて固定されている。これらの背板１２には、物品２を側板５側に固定するためのベルト１８が取り付けられる取付穴１９が形成されている。
【００２０】
これらの積載フレーム４は、物品載置台３に対して起立したときの物品載置領域７外の位置と物品載置台３の上面に沿う位置との間で回動自在に設けられている。具体的には、第１パイプ１３の下端側は、積載フレーム４の先端側が物品載置台３に接離する方向に支軸２０により回動自在に支持されている。第１パイプ１３はピン２１により外側への倒れを規制されている。これらの支軸２０とピン２１とは、物品載置台３上に設けられたホルダ２２に保持されている。物品載置台３に対して起立した状態の一対の積載フレーム４は、物品載置領域７を介して互いに間隔を開けて位置している。
【００２１】
側板５は、支柱１１間に着脱自在に掛け渡されている。側板５の両側端部には、ピン３１が一つずつ立設されている。一方のピン３１は、側板５に直接固定されている。他方のピン３１の基部側には、板部３２が形成され、ピン３１は、側板５に形成されたピン３１よりも大径の穴（図示せず）を貫通した状態で板部３２がネジ３３により側板５に固定されている。これにより、ピンの側板５に対する固定位置が選択可能となっている。これらのピン３１が支柱１１の貫通穴部１６，１７に差し込まれており、これにより、側板５が積載フレーム４に連結される。また、ピン３１に形成された穴３４には、ピン３５が着脱自在に挿入されており、これにより、ピン３１の貫通穴部１６，１７からの抜けが防止されている。このピン３５は、紐３６により側板５に取り付けられている。そして、側板５，ピン３１及びピン２１により、積載フレーム４が物品載置台３に対して起立した位置で固定され、積載フレーム４の変位が阻止される。ここで、ピン３１とピン２１とにより変位阻止手段が構成されている。
【００２２】
このような構成において、汎用循環型ラック１を組み立てるには、まず、積載フレーム４を物品載置台３に対して起立させた状態で、積載フレーム４にピン３１により側板５を取り付け、ピン３５をピン３１に差し込む。これにより汎用循環型ラック１の組立が完了する。この状態では、物品載置台３上に載置された物品２はその周囲全体を積載フレーム４の支柱１１及び背板１２、側板５により保護される。
【００２３】
また、積載フレーム４がピン２１，３１及び側板５によりガタなく位置決め固定されて、積載フレーム４の変位が阻止されているので、積載フレーム４が揺れることが防止されている。これにより、図３に示すように、物品２を載置した状態の汎用循環型ラック１を天板４１を介して数段積み上げた場合でも、上段の汎用循環型ラック１の揺れを防止することができる。なお、図３では物品２を省略している。
【００２４】
また、支柱１１が伸縮するので、物品２に合わせて積載フレーム４の高さを調整することができる。また、この支柱１１の高さを固定するピン３１が側板５を積載フレーム４に連結する機能を兼ねているので、部品点数が削減される。
【００２５】
また、汎用循環型ラック１を使用しない場合には、ピン３１を取り外して側板５を積載フレーム４から取り外し、図４に示すように、積載フレーム４を物品載置台３に沿う位置に回動させることにより、汎用循環型ラック１を折り畳むことができ、この状態の汎用循環型ラック１を積み上げて保管することにより汎用循環型ラック１が必要とする例えば倉庫内の保管スペースが少なくて済む。
【００２６】
また、一方の積載フレーム４に対応するピン３１の側板５に対しての固定位置が選択可能であるので、例えば、汎用循環型ラック１の製造時にピン３１位置を調整することができ、積載フレーム４の取り付けにガタが発生するのを防止することができる。これにより、汎用循環型ラック１の積み重ね時の揺れ防止効果をさらに向上させることができる。
【００２７】
なお、本実施の形態では、変位阻止手段として、ピン３１とピン２１とを例に説明したが、これに限るものではない。変位阻止手段としては、例えば、側板５を積載フレーム４に連結させるピン３１を２本ではなく３本とし、側板５を一方の積載フレーム４で２点支持、他方の積載フレーム４で１点支持することで、側板を３点支持して、積載フレーム４の変位を防止してもよい。
【図面の簡単な説明】
【００２８】
【図１】本発明の一実施の形態の汎用循環型ラックを示す斜視図である。
【図２】その分解斜視図である。
【図３】展開させた汎用循環型ラックを積み重ねた状態を示す縦断側面図である。
【図４】折り畳んだ汎用循環型ラックを積み重ねた状態を示す側面図である。
【図５】従来の物品輸送保管装置を示す斜視図である。
【図６】折り畳んだ物品輸送保管装置を積み重ねた状態を示す側面図である。
【図７】展開させた物品輸送保管装置を積み重ねた状態を示す縦断側面図である。
【符号の説明】
【００２９】
１      汎用循環型ラック（物品輸送保管装置）
２      物品
３      物品載置台
４      積載フレーム
５      側板
７      物品載置領域
１１    支柱
１２    背板
３１    ピン
【図１】
2005187035.tif 000003
【図２】
2005187035.tif 000004
【図３】
2005187035.tif 000005
【図４】
2005187035.tif 000006
【図５】
2005187035.tif 000007
【図６】
2005187035.tif 000008
【図７】
2005187035.tif 000009